(57)【要約】【課題】照明器具の小型化を図ることができる点装置を提供する。【解決手段】点灯装置１０の筐体１１の２面または３面１１ａ〜１１ｃに跨る開口穴１４を設けたので、点灯装置１０からリード線１３を引出す際に、リード線１３の引出し方向の自由度を高めることができる。また、引出したリード線１３を開口穴１４部分において屈曲させることにより、従来設けられていたリード線のたわみ部を収納するための引き回しスペースが不要となるため、点灯装置１０を収納するケース１５を小型化して、照明装置１１０を小型化することができる。【選択図】図１
2010050052.tif 000002
【特許請求の範囲】
【請求項１】
筐体と、前記筐体内部に収容される電気部品とを有し、リード線を介して電源線およびランプソケットとを接続し蛍光ランプに電力を供給して安定点灯させる点灯装置であって、
前記筐体の２面または３面に跨る開口穴を設け、前記開口穴から前記リード線を引出すことを特徴とする点灯装置。
【請求項２】
筐体と、前記筐体内部に収容される電気部品とを有し、リード線を介して電源線およびランプソケットとを接続し蛍光ランプに電力を供給して安定点灯させる点灯装置であって、
前記筐体を構成する少なくとも１面に開口する開口穴と、前記開口穴から前記リード線の配線方向に設けられている凹部と、を有することを特徴とする点灯装置。
【請求項３】
筐体と、前記筐体内部に収容される電気部品とを有し、リード線を介して電源線およびランプソケットとを接続し蛍光ランプに電力を供給して安定点灯させる点灯装置であって、
前記筐体の２面または３面に跨る開口穴を設け、前記開口穴から前記２面または前記３面のうちの２面の交差線に沿って前記リード線の配線方向に面取りを設けたことを特徴とする点灯装置。
【発明の詳細な説明】
【技術分野】
【０００１】
本発明は、蛍光ランプに電力を供給して安定点灯させるための点灯装置に関するものである。
【背景技術】
【０００２】
図１４に示すように、従来の点灯装置１００としては、両端に開口１０２を有するケース１０１内部に、蛍光ランプを点灯させるのに必要な電気部品を収容し、開口部１０２からリード線１０４を引出した後に、樹脂等の封止材１０３で封止したものがある（例えば特許文献１参照）。
また、図１５には、前述したような点灯装置１００を用いた照明器具の例として、蛍光ランプを有するダウンライト１１０が示されている。このダウンライト１１０は、蛍光ランプを有する灯体１１１と、点灯装置１００等を収容するダクトケース１１２を有している。商用電源１１３からダクトケース１１２内部に引き込まれた電源線１１４は、圧着端子１１５よってリード線１０４に接続されて点灯装置１００に電力を供給する。
【特許文献１】実登第３０７１２１６号公報（第３図）
【発明の開示】
【発明が解決しようとする課題】
【０００３】
ところで、点灯装置１００の開口１０２から引出されたリード線１０４は、上方へ屈曲されて、点灯装置１００の上面１００ａに沿って配線され、電源線１１４と接続されている。リード線１０４は、小さな曲率半径で屈曲させると過剰なストレスがかかり、線材をいためるおそれがある。このため、図１５に示すように、リード線１０４のたわみ部１０４ａを収納するために、リード線引き回しスペースが必要となり、点灯装置１００の大きさに比してダクトケース１１２が大きくなるため、照明器具であるダウンライト１１０の小型化を困難にしているという問題があった。
【０００４】
本発明は、従来の問題を解決するためになされたもので、照明器具の小型化を図ることができる点装置を提供することを目的とする。
【課題を解決するための手段】
【０００５】
本発明の点灯装置は、筐体と、前記筐体内部に収容される電気部品とを有し、リード線を介して電源線およびランプソケットとを接続し蛍光ランプに電力を供給して安定点灯させる点灯装置であって、前記筐体の２面または３面に跨る開口穴を設け、前記開口穴から前記リード線を引出す構成を有している。
【０００６】
この構成により、点灯装置の筐体の２面または３面に跨る開口穴を設けたので、点灯装置からリード線を引出す際に、リード線の引出し方向の自由度を高めることができる。また、引出したリード線を開口穴部分において屈曲させることにより、従来設けられていたリード線のたわみ部を収納するための引き回しスペースが不要となるため、点灯装置を収納するケースを小型化して、照明装置を小型化することができる。
【０００７】
また、本発明の点灯装置は、筐体と、前記筐体内部に収容される電気部品とを有し、リード線を介して電源線およびランプソケットとを接続し蛍光ランプに電力を供給して安定点灯させる点灯装置であって、前記筐体を構成する少なくとも１面に開口する開口穴と、前記開口穴から前記リード線の配線方向に設けられている凹部と、を有する構成を有している。
【０００８】
この構成により、点灯装置から引出されたリード線を点灯装置に沿って配線する際に、開口穴において屈曲されたリード線を、筐体に設けられている凹部に沿って配線することにより、リード線が点灯装置の外部に突出しないので、点灯装置を収納するケースを小型化して、照明装置を小型化することができる。
【０００９】
さらに、本発明の点灯装置は、筐体と、前記筐体内部に収容される電気部品とを有し、リード線を介して電源線およびランプソケットとを接続し蛍光ランプに電力を供給して安定点灯させる点灯装置であって、前記筐体の２面または３面に跨る開口穴を設け、前記開口穴から前記２面または前記３面のうちの２面の交差線に沿って前記リード線の配線方向に面取りを設けた構成を有している。
【００１０】
この構成により、点灯装置から引出されたリード線を点灯装置に沿って配線する際に、開口穴において屈曲されたリード線を、筐体に設けられている面取りに沿って配線することにより、リード線が点灯装置の外部に突出しないので、点灯装置を収納するケースを小型化して、照明装置を小型化することができる。
【発明の効果】
【００１１】
本発明は、点灯装置の筐体の２面または３面に跨る開口穴を設けたので、点灯装置からリード線を引出す際に、リード線の引出し方向の自由度を高めることができる。また、引出したリード線を開口穴部分において屈曲させることにより、従来設けられていたリード線のたわみ部を収納するための引き回しスペースが不要となるため、点灯装置を収納するケースを小型化して、照明装置を小型化することができるという効果を有する点灯装置を提供することができるものである。
【発明を実施するための最良の形態】
【００１２】
以下、本発明の実施形態にかかる点灯装置について、図面を用いて説明する。
図１は本発明の第１実施形態にかかる点灯装置を示す斜視図、図２はリード線の引出しを示す斜視図、図３は引出されたリード線の配線を示す断面図、図４は点灯装置をケースに収納した状態を示す断面図である。
【００１３】
図１に示すように、本発明の第１実施形態にかかる点灯装置１０は、蛍光ランプ（図１５参照）に電力を供給して安定点灯させるためのものであり、矩形箱状の筐体１１と、筐体内部に収容される電気部品１２（図３参照）とを有し、電気部品１２に接続されているリード線１３ａ、１３ｂ（リード線を総称する場合には、「リード線１３」と示す。）が、筐体１１の両端面１１ｂ、１１ｂから引出されている。リード線１３ａ、１３ｂは、電気部品１２が実装されている回路基板１２ａに接続されており、例えば電源線１１４（図１５参照）やランプソケット（図示省略）に接続される。
【００１４】
図２にも示すように、点灯装置１０の筐体１１には、筐体１１の２面としての上面１１ａおよび端面１１ｂに跨る開口穴１４ａ、１４ｂ（開口穴を総称する場合には、「開口穴１４」と示す。）が設けられており、開口穴１４ａ、１４ｂからリード線１３ａ、１３ｂが引出されている。従って、図２および図３に示すように、リード線１３ａ、１３ｂは、開口１４ａからそのまま屈曲することなく真っ直ぐの方向、および開口１４ｂにおいて略直角に屈曲して、筐体１１の上面１１ａに沿って配線することができる。なお、開口穴１４ａ、１４ｂの大きさは、少なくとも、リード線１３ａ、１３ｂが通過でき、筐体１１内部の電気部品１２が露出しない大きさとする。
【００１５】
以上、説明した本発明の第１実施形態にかかる点灯装置１０によれば、点灯装置１０の筐体１１の２面１１ａ、１１ｂに跨る開口穴１４ａ、１４ｂを設けたので、点灯装置１０からリード線１３ａ、１３ｂを引出す際に、リード線１３ａ、１３ｂの引出し方向の自由度を高めることができる。また、引出したリード線１３ｂを開口穴１４ｂ部分において屈曲させることにより、図４に示すように、点灯装置１０をケース１５内に収容した際に必要な引き回しスペースＳ１、Ｓ２を、従来の点灯装置を用いた場合に必要であった引き回しスペース（図１５参照）に比して、小さくすることができる。これに伴い、点灯装置１０を収納するケース１５を小型化して、照明装置（図示省略）を小型化することができる。
【００１６】
なお、図５には、本発明の第１実施形態にかかる点灯装置の別の例が示されている。この点灯装置１０ａでは、筐体１１の３面としての上面１１ａ、端面１１ｂおよび側面１１ｃに跨る開口穴１４ｃが設けられており、開口穴１４ｃからリード線１３ｃが引出されている。
これにより、前述した点灯装置１０と同様の作用・効果を得ることができるとともに、リード線１３ｃを筐体の側面１１ｃ側にも引き出すことができるので、一層、リード線１３ｃの配線の自由度を増すことができる。
【００１７】
次に、本発明の第２実施形態にかかる点灯装置について、図面を用いて説明する。
図６は本発明の第２実施形態にかかる点灯装置を示す斜視図、図７（Ａ）は点灯装置の側面図、図７（Ｂ）は同じく端面図、図８は点灯装置をケースに収納した状態を示す断面図である。なお、前述した第１実施形態にかかる点灯装置と共通する部位には同じ符号を付して、重複する説明を省略することとする。
【００１８】
図６に示すように、本発明の第２実施形態にかかる点灯装置１０Ｂでは、筐体１１を構成する少なくとも１面（ここでは上面１１ａ）に開口する開口穴１４ｄと、この開口穴１４ｄからリード線１３の配線方向である筐体１１の長手方向に設けられている凹部としての溝１６とを有している。なお、溝１６は上面１１ａから内部に突出することになるので、電気部品１２は、溝１６と干渉しないように配置する。
【００１９】
従って、図７に示すように、点灯装置１０Ｂの開口穴１４ｄから引出されたリード線１３を点灯装置１０Ｂに沿って配線する際に、開口穴１４ｄにおいてリード線１３を屈曲し、リード線１３を、筐体１１に設けられている溝１６に沿って配線することにより、リード線１３が点灯装置１０Ｂの外部に突出しない。
【００２０】
このため、図８に示すように、点灯装置１０Ｂの上面１１ａとケース１５との間に殆ど隙間を設ける必要がなく、ケース１５を小型化して、照明装置を小型化することができる。また、上面１１ａ、端面１１ｂ、側面１１ｃ等をケース１５と密着させることも可能であり、ケース１５を通じて放熱することにより、点灯装置１０Ｂの放熱性能を向上させることができる。
なお、ここでは、凹部として矩形断面の溝１６を例示したが、リード線１３の配線方向に連続する断面が緩やかな凹みであっても良い。
【００２１】
図９〜図１１には、上述した第２実施形態にかかる点灯装置の別の例が示されている。
図９に示すように、この点灯装置１０Ｂａでは、前述した点灯装置１０Ｂにおける開口穴１４ｄに加えて、筐体１１の上面１１ａおよび端面１１ｂに開口する開口穴１４ｅが設けられており、凹部として、筐体１１の上面１１ａにおいて開口穴１４ｄから筐体の長手方向に延びて開口穴１４ｅに連続する溝１６ａと、端面１１ｂにおいて開口穴１４ｅから下方へ延びる溝１６ｂが設けられている。
【００２２】
従って、図１０に示すように、点灯装置１０Ｂａの開口穴１４ｄから引出されたリード線１３を点灯装置１０Ｂに沿って配線する際に、開口穴１４ｄにおいて屈曲されたリード線１３を、筐体１１に設けられている溝１６に沿って配線することにより、リード線１３が点灯装置１０Ｂの外部に突出しない。また、溝１６ｂに圧着端子１１５を収納することにより、図１１に示すように、点灯装置１０Ｂａをケース１５に収納する際に、圧着端子１１４のためのスペースを別途設ける必要がなく、ケース１５を小型化して、照明装置を小型化することができる。
なお、矩形状の筐体１１の６個の面全てに溝１６を設けることも可能である。
【００２３】
次に、本発明の第３実施形態にかかる点灯装置について、図面を用いて説明する。
図１２は本発明の第３実施形態にかかる点灯装置を示す斜視図、図１３（Ａ）は点灯装置の側面図、図１３（Ｂ）は同じく端面図である。なお、前述した第１および第２実施形態にかかる点灯装置と共通する部位には同じ符号を付して、重複する説明を省略することとする。
【００２４】
図１２および図１３に示すように、本発明の第３実施形態にかかる点灯装置１０Ｃでは、筐体１１の２面または３面（ここでは、上面１１ａ、端面１１ｂ、側面１１ｃの３面）に跨る開口穴１４ｆを設け、この開口穴１４ｆから３面１１ａ、１１ｂ、１１ｃのうちの２面としての上面１１ａおよび側面１１ｃの交差線に沿ってリード線１３の配線方向に面取り１７を設けた。
【００２５】
従って、点灯装置１０Ｃから引出されたリード線１３を点灯装置１０Ｃに沿って配線する際に、開口穴１４ｆにおいて屈曲されたリード線１３を、筐体１１に設けられている面取り１７に沿って配線することにより、リード線１３が点灯装置１０Ｃの外部に突出しないので、点灯装置１０Ｃを収納するケース１５を小型化して、照明装置を小型化することができる。
【００２６】
なお、本発明の点灯装置は、前述した各実施形態に限定されるものでなく、適宜な変形，改良等が可能である。
【図面の簡単な説明】
【００２７】
【図１】本発明の第１実施形態にかかる点灯装置を示す斜視図
【図２】リード線の引出しを示す斜視図
【図３】引出されたリード線の配線を示す断面図
【図４】点灯装置をケースに収納した状態を示す断面図
【図５】本発明の第１実施形態にかかる点灯装置の別の例を示す斜視図
【図６】本発明の第２実施形態にかかる点灯装置を示す斜視図
【図７】（Ａ）は点灯装置の側面図、（Ｂ）は同じく端面図
【図８】点灯装置をケースに収納した状態を示す断面図
【図９】本発明の第２実施形態にかかる点灯装置の別の例を示す斜視図
【図１０】（Ａ）は点灯装置の側面図、（Ｂ）は同じく端面図
【図１１】点灯装置をケースに収納した状態を示す断面図
【図１２】本発明の第３実施形態にかかる点灯装置を示す斜視図
【図１３】（Ａ）は点灯装置の側面図、（Ｂ）は同じく端面図
【図１４】従来の点灯装置を示す斜視図
【図１５】従来の照明器具において点灯装置をケースに収納した状態を示す断面図
【符号の説明】
【００２８】
１０  点灯装置
１１  筐体
１１ａ  上面（２面または３面）
１１ｂ  端面（２面または３面）
１１ｃ  側面（２面または３面）
１２  電気部品
１３  リード線
１４  開口穴
１６  溝（凹部）
１７  面取り
１１４  電源線
１１０  ダウンライト（蛍光ランプ）
【図１】
2010050052.tif 000003
【図２】
2010050052.tif 000004
【図３】
2010050052.tif 000005
【図４】
2010050052.tif 000006
【図５】
2010050052.tif 000007
【図６】
2010050052.tif 000008
【図７】
2010050052.tif 000009
【図８】
2010050052.tif 000010
【図９】
2010050052.tif 000011
【図１０】
2010050052.tif 000012
【図１１】
2010050052.tif 000013
【図１２】
2010050052.tif 000014
【図１３】
2010050052.tif 000015
【図１４】
2010050052.tif 000016
【図１５】
2010050052.tif 000017